(57)【要約】【課題】  耐高電圧性、耐高温性、高可塑性、高靭性、高強度を有するプラス、マイナスイオン発生装置の高圧放電板を提供する。【解決手段】  ガラス繊維からなる基材１と、前記基材１の両面に形成される第一、第二の放電端子２、３とからなり、前記第一、第二の放電端子２、３はそれぞれ接続部２１、３１を有しており、前記接続部２１、３１の周縁には放電を行うことができる先端部２２、３２が伸びており、前記接続部２１には少なくとも一つの孔２３が設けられており、前記孔２３は基材１の背面の接続部２４’と接続されており、両接続部２１、２４’は電気的に接続された状態となっており、外部のイオン発生装置の制御の下、プラスイオンを多く、マイナスイオンを少なく発生させたり、またその逆を行ったりすることができる。【選択図】    図１
0003110014.tif 000002
【実用新案登録請求の範囲】
【請求項１】
プラス、マイナスイオン発生装置の高圧放電構造における
プラス、マイナスイオン発生装置と接続してプラスまたはマイナス、あるいはプラスおよびマイナスイオンを発生させることができる高圧放電板の構造であって、
基材と、第一の放電端子と、第二の放電端子とからなり、
前記第一の放電端子は、前記基材の正面上に形成されており、接続部を有しており、前記接続部の周縁には放電を行うことができる先端部が設けられており、前記接続部にはさらに少なくとも一つの孔が設けられており、前記孔は背面の基材上の接続部と接続されており、前記二つの接続部は電気的に接続された状態となっており、
前記第二放電端子は、基材の背面上に形成されており、接続部を有しており、前記接続部の周縁には一本の直線状の前記正面上の先端部に対応しており放電を行うことができる先端部が設けられており、前記接続部上にはさらに少なくとも一つの孔が設けられており、前記孔は正面の基材上の接続部と接続されており、前記二つの接続部は電気的に接続された状態となっていることを特徴とするプラス、マイナスイオン発生装置の高圧放電板の構造。
【請求項２】
前記基材は、ガラス繊維からなり、単層構造または多層構造であることを特徴とする請求項１記載のプラス、マイナスイオン発生装置の高圧放電板の構造。
【請求項３】
前記基材は、少なくとも一つ以上の固定部を有しており、前記固定部によって電子器具上に固定されることを特徴とする請求項１記載のプラス、マイナスイオン発生装置の高圧放電板の構造。
【請求項４】
前記電子器具は、プラス、マイナスイオン発生装置であることを特徴とする請求項３記載のプラス、マイナスイオン発生装置の高圧放電板の構造。
【請求項５】
前記第一および第二の放電端子は、金属材質からなり、前記第一の放電端子または第二の放電端子の先端部はＵ字型、コ字型または一本の直線状であることを特徴とする請求項１記載のプラス、マイナスイオン発生装置の高圧放電板の構造。
【考案の詳細な説明】
【技術分野】
【０００１】
本考案はプラス、マイナスイオン発生装置の高圧放電構造に関し、特にプラスまたはマイナス、あるいはプラスおよびマイナスイオンを発生させることができる高圧放電板の構造に関わる。
【背景技術】
【０００２】
工業化された社会は環境汚染と文明病をもたらし、現代人の生活に様々な悪影響を及ぼしており、近年来ＳＡＲＳ、新型流行性疾病などの新たな伝染病が出現しており、それに伴い抗菌作用を有する商品も次々と市場に現れてきており、その中でマイナスイオンに関する商品は注目されている。
【０００３】
大気中には電気を帯びた微細な粒子が多数存在しており、我々はこの電気を帯びた微細な粒子を空気イオンと呼んでおり、空気が天然の放射線、宇宙線、あるいは太陽から放射されている紫外線を受けたとき、プラス、マイナスイオンを含む微細な粒子が形成される。特に酸素によって形成されるプラス、マイナスイオンが最も多い。この他、いわゆるレナード効果または滝効果によっても空気イオンが生成され、この現象は、降雨、滝、浴室、噴水など水滴が空気分子と激しくぶつかり、分裂するとき、空気イオンが発生というものである。
【０００４】
人工的に空気イオンを発生させるものとして、陶器を利用したものがあり、それは陶器材料に高圧放電端子を有する高圧放電板を設置したものであるが、陶器は割れやすく、塑性がないので、高圧放電を行う放電端子を雲母板上に設置し、陶器と結合させたものがある。しかしこの種の設計では高圧放電板が厚くなるだけでなく、マイナスイオンを発生させる効果も優れない。
【特許文献１】特開２００４−１３８３２３号公報
【考案の開示】
【考案が解決しようとする課題】
【０００５】
上記公知構造の欠点を解決するために、本考案の目的は、耐高電圧性、耐高温性、高可塑性、高靭性、高強度を有するプラス、マイナスイオン発生装置の高圧放電板の構造を提供することである。
【課題を解決するための手段】
【０００６】
前記目的を達成するために、本考案のプラス、マイナスイオン発生装置の高圧放電板の構造は、ガラス繊維からなる基材の両面に対応する第一、第二の放電端子が形成されており、前記第一、第二の放電端子上はそれぞれ接続部を有しており、前記接続部の周縁には放電を行うことができる先端部が伸びており、前記接続部上には少なくとも一つの孔が設けられており、前記孔は基材のもう一方の面上の接続部と接続されており、二つの接続部は電気的に接続された状態となっている。
【０００７】
請求項１の考案は、プラス、マイナスイオン発生装置の高圧放電構造におけるプラス、マイナスイオン発生装置と接続してプラスまたはマイナス、あるいはプラスおよびマイナスイオンを発生させることができる高圧放電板の構造であって、基材と、第一の放電端子と、第二の放電端子とからなり、前記第一の放電端子は、前記基材の正面上に形成されており、接続部を有しており、前記接続部の周縁には放電を行うことができる先端部が設けられており、前記接続部にはさらに少なくとも一つの孔が設けられており、前記孔は背面の基材上の接続部と接続されており、前記二つの接続部は電気的に接続された状態となっており、前記第二放電端子は、基材の背面上に形成されており、接続部を有しており、前記接続部の周縁には一本の直線状の前記正面上の先端部に対応しており放電を行うことができる先端部が設けられており、前記接続部上にはさらに少なくとも一つの孔が設けられており、前記孔は正面の基材上の接続部と接続されており、前記二つの接続部は電気的に接続された状態となっていることを特徴とするプラス、マイナスイオン発生装置の高圧放電板の構造である。
【０００８】
請求項２の考案は、前記基材は、ガラス繊維からなり、単層構造または多層構造であることを特徴とする請求項１記載のプラス、マイナスイオン発生装置の高圧放電板の構造である。
【０００９】
請求項３の考案は、前記基材は、少なくとも一つ以上の固定部を有しており、前記固定部によって電子器具上に固定されることを特徴とする請求項１記載のプラス、マイナスイオン発生装置の高圧放電板の構造である。
【００１０】
請求項４の考案は、前記電子器具は、プラス、マイナスイオン発生装置であることを特徴とする請求項３記載のプラス、マイナスイオン発生装置の高圧放電板の構造である。
【００１１】
請求項５の考案は、前記第一および第二の放電端子は、金属材質からなり、前記第一の放電端子または第二の放電端子の先端部はＵ字型、コ字型または一本の直線状であることを特徴とする請求項１記載のプラス、マイナスイオン発生装置の高圧放電板の構造である。
【考案の効果】
【００１２】
本考案の実施により耐高電圧性、耐高温性、高可塑性、高靭性、高強度を有するプラス、マイナスイオン発生装置の高圧放電板の構造を提供することができた。
【考案を実施するための最良の形態】
【００１３】
図１は本考案の高圧放電板の構造を示す斜視図であり、図２は上面図であり、図３は背面図である。本考案はプラス、マイナスイオン発生装置の高圧放電板の構造の改良であり、主にプリント、エッチングまたはマイクロイメージなどの技術を利用して製作されるプラス、マイナスイオンを発生させることができる高圧放電板１０の構造の改良であり、基材１と、前記基材１の両面に形成される第一、第二の放電端子２、３とからなり、高圧放電板１０は外部のイオン発生装置と接続されており、それにより高圧放電板１０はプラスイオンまたはマイナスイオン、あるいはプラスイオンおよびマイナスイオンを発生させることができる。
【００１４】
前記基材１はガラス繊維からなり、可塑性が高く、折れにくく、靭性に優れる。そのために前記基材１は単層または多層構造に設計することができ、それによって基材１の厚さを調整することができ、前記基材１は固定部１１を有しており、前記固定部１１によって電子器具（図なし）に固定することができる。
【００１５】
前記第一の放電端子２は金属材質からなり、前記基材１の正面上に形成されており、導線と接続するための接続部２１を有しており、前記接続部２１の周縁にはＵ字型、コ字型または一本の直線状である先端部２２が伸びており、前記接続部２１上には少なくとも一つの孔２３が設けられており、前記孔２３は前記基材１のもう一つの面上の接続部２４’と接続されており、二つの接続部２１、２４’は電気的に接続された状態となっている。
【００１６】
前記第二の放電端子３は金属材質からなり、前記基材１の背面上に形成されており、導線と接続するための接続部３１を有しており、前記接続点３１の周縁にはＵ字型、コ字型または一本の直線状であり、基材１のもう一方の面の先端部２２に対応しており、放電を行うことができる先端部３２が形成されており、前記接続部３１上には少なくとも一つの孔３３が設けられており、前記孔３３は前記基材１の正面上の接続部３４’と接続されており、二つの接続部３１、３４’は電気的に接続された状態となっている。
【００１７】
上記の基材１と基材１の両面に形成されている第一、第二の放電端子２、３によって耐高電圧性、耐高温性、高可塑性、高靭性、高強度を有する高圧放電板１０が構成される。
【００１８】
図４は本考案の使用形態を示す斜視図であり、図から分かるように、本考案の高電圧放電板１０を使用するとき、先ずイオン生成装置４の導線４１、４１’をそれぞれ第一、第二の放電端子上の接続部２１、３１に接続し、イオン発生装置４を運転させたとき、イオン発生装置４から出力される電圧が導線４１、４１’から第一、第二放電端子２、３の接続部２１、３１上に伝わり、第一放電端子２からプラス、マイナスイオンまたは第二放電端子３からマイナス、プラスイオンが発生される。
【００１９】
さらに、イオン発生装置４の制御により、プラスイオンを多く、マイナスイオンを少なく発生させたり、またその逆を行ったりすることができる。
【００２０】
さらに、本実施形態においては基材１上に一組の第一、第二放電端子２、３が設けられているが、必要に応じて多数組の第一、第二放電端子２、３を同時に設けることも可能である。
【００２１】
上述の内容は本考案の好適な実施形態を示したものであり、本考案の実施範囲を限定するものではなく、本考案の請求範囲における変更や修飾は全て本考案の範囲に含まれる。
【図面の簡単な説明】
【００２２】
【図１】本考案の基材を示す斜視図である。
【図２】本考案の高圧放電板の上面図である。
【図３】本考案の高圧放電板の背面図である。
【図４】本考案の使用形態を示す斜視図である。
【符号の説明】
【００２３】
１    基材
１０  高圧放電板
１１  固定部
２    第一の放電端子
２１  接続部
２２  先端部
２３  孔
２４’接続部
３    第二の放電端子
３１  接続部
３２  先端部
３３  孔
３４’接続部
４    イオン発生装置
４１  導線
４１’導線
【図１】
0003110014.tif 000003
【図２】
0003110014.tif 000004
【図３】
0003110014.tif 000005
【図４】
0003110014.tif 000006